(57)【要約】【課題】  作業者は洗車機本体内に入ることなく液剤タンクに液剤を補給できるので、洗車機本体内の上部から落ちる滴が作業者に掛かることがなくなる。【解決手段】  車両Ｖに対して走行する洗車機本体１に、液剤タンク４７〜５２と液剤噴射装置１１〜１６とを設け、その装置１１〜１６で噴射した液剤を車両Ｖの車体面へ掛けるようにした洗車機であって、洗車機本体１に棚５９〜６１を設け、そこに液剤タンク４７〜５２を載せて洗車機本体１の外方から液剤タンク４７〜５２内に液剤を補給できる。【選択図】    図１
2006232041.tif 000002
【特許請求の範囲】
【請求項１】
被洗浄車両を跨いで走行する門型の洗車機本体に、液剤を貯える液剤タンクと、その液剤タンク内の液剤を噴射する液剤噴射装置とを備え、前記液剤噴射装置で噴射した液剤を被洗浄車両の車体面へ掛けるようにした洗車機において、
前記洗車機本体の前面に棚を設け、該棚に前記液剤タンクを置いて、洗車機本体の前方から該液剤タンク内に液剤を補給できるようにし、かつ、前記液剤タンクを、前記棚に洗車機本体の前方から出入れできるようにしたこと特徴とする、洗車機。
【請求項２】
前記液剤タンクは、該液剤タンク内の液剤の量が外部から透視できることを特徴とする、前記請求項１記載の洗車機。
【請求項３】
被洗浄車両を跨いで走行する門型の洗車機本体に、液剤を貯える液剤タンクと、その液剤タンク内の液剤を噴射する液剤噴射装置とを備え、前記液剤噴射装置で噴射した液剤を被洗浄車両の車体面へ掛けるようにした洗車機において、
前記洗車機本体に、前記液剤タンクを置く棚を設け、該洗車機本体の側面を覆う側面板に開口を設け、その開口を通して前記液剤タンク内に液剤を補給でき、かつ、前記棚に置かれた液剤タンクは、前記開口を通して出入れできるようにしたことを特徴とする、洗車機。
【発明の詳細な説明】
【技術分野】
【０００１】
本発明は、移動する門型の洗車機本体に、液剤タンク内の液剤を噴射する液剤噴射装置を備えた洗車機に関する。
【背景技術】
【０００２】
従来、往復走行する門型の洗車機本体に、洗剤タンク、艶出し剤タンクなどの液剤タンクを設け、それらの液剤タンク内の液剤を吸引して、被洗浄車両の車体面に噴射する液剤噴射装置を備えた洗車機は公知である（たとえば、下記特許文献１参照）。
【特許文献１】特開２００１−２９４１３４号公報。
【発明の開示】
【発明が解決しようとする課題】
【０００３】
ところで、かかる液剤噴射装置を備えた洗車機では、液剤タンクは洗車機本体内に配置されるのが一般的であり、それらの液剤タンクに液剤を補給したり、それらの清掃などのメンテナンスをしたりするのに、作業者は、洗車機本体内に入って行うのを余儀なくされていた。
【０００４】
ところが、液剤を噴射する洗車機は、噴射した液剤を含む液体（液剤は水などで希釈されて噴射される）が、洗車機本体内の上部の部材に付着し、その付着した液体が滴となって落ちるために、作業者が洗車機本体内に入って液剤の補給や液剤タンクのメンテナンスを行うと、洗車機本体内の上部から落ちる滴が作業者に掛かるという問題があり、また、作業者は、狭隘な洗車機本体内で無理な姿勢での作業を行うことになるので、その作業が厄介であるという別の問題もある。
【０００５】
本発明は、かかる実情に鑑みてなされたもので、前記問題を解決した新規な洗車機を提供することを目的とする。
【課題を解決するための手段】
【０００６】
上記目的達成するため、請求項１記載の発明は、被洗浄車両を跨いで走行する門型の洗車機本体に、液剤を貯える液剤タンクと、その液剤タンク内の液剤を、噴射する液剤噴射装置とを備え、前記液剤噴射装置で噴射した液剤を被洗浄車両の車体面へ掛けるようにした洗車機において、前記洗車機本体の前面に棚を設け、該棚に前記液剤タンクを置いて、洗車機本体の前方から該液剤タンク内に液剤を補給できるようにし、かつ、前記液剤タンクを、前記棚に洗車機本体の前方から出入れできるようにしたこと特徴としている。
【０００７】
上記目的達成するため、請求項２記載の発明は、前記請求項１記載のものにおいて、前記液剤タンクは、該液剤タンク内の液剤の量が外部から透視できることを特徴としている。
【０００８】
上記目的達成のため、請求項３記載の発明は、被洗浄車両を跨いで走行する門型の洗車機本体に、液剤を貯える液剤タンクと、その液剤タンク内の液剤を噴射する液剤噴射装置とを備え、前記液剤噴射装置で噴射した液剤を被洗浄車両の車体面へ掛けるようにした洗車機において、前記洗車機本体に、前記液剤タンクを置く棚を設け、該洗車機本体の側面を覆う側面板に開口を設け、その開口を通して前記液剤タンク内に液剤を補給でき、かつ、前記棚に置かれた液剤タンクは、前記開口を通して出入れできるようにしたことを特徴としてる。
【発明の効果】
【０００９】
請求項各項記載の発明によれば、作業者は洗車機本体内に入ることなく液剤タンクに液剤を補給できるので、洗車機本体内の上部から落ちる滴が液剤を補給する作業者に掛かることがなく、しかもその補給作業が容易になる。
【００１０】
また、作業者は洗車機本体内に入ることなく液剤タンクの内部や外部の洗浄などのメンテナンスができるので、洗車機本体内の上部から落ちる滴が液剤タンクをメンテナンスする作業者に掛かることがなく、しかもその作業が容易になる。
【００１１】
さらに、液剤タンクを棚から取り出して、洗車機本体の外で液剤タンクの内部や外部の洗浄などのメンテナンスができるので、そのメンテナンスを容易に行うことができる。
【００１２】
請求項２記載の発明によれば、洗車機本体の外から液剤タンク内の液剤の量が透視でいるので、液剤の残量を容易に確認できる。
【発明を実施するための最良の形態】
【００１３】
本発明の実施の形態を、添付図面に例示した本発明の実施例に基づいて以下に具体的に説明する。
【００１４】
図１は、液剤噴射装置を備えた洗車機の側面図、図２は、図１の２−２線に沿う洗車機の正面図、図３は、図１の３−３線に沿う洗車機の断面図、図４は、液剤噴射装置の配管系統図である。
【００１５】
図１〜３において、洗車機本体１は、門型のフレーム２を備え、走行モータ３，３で駆動される左右一対の駆動輪４，４と左右一対の従動車輪５，５とにより、地上に敷設される左右一対の走行レール６，６上を往復走行する。
【００１６】
フレーム２には、従来公知の洗車機器が設けられており、すなわち、車両Ｖの上面を洗浄するトップブラシ７と、車両Ｖの側面を洗浄する左右一対のサイドブラシ８，８と、車両Ｖの上面を乾燥するトップノズル９と、車両Ｖの側面を乾燥する左右一対のサイドノズル１０，１０とを備え、さらに、本発明に従う液剤を噴射する液剤噴射装置１１〜１６と水を噴射する水噴射装置１７が設けられている。
【００１７】
液剤噴射装置１１〜１６は、洗車機本体１の上部を横方向に延びる噴射配管１１ａ〜１６ａと、それらの噴射配管１１ａ〜１６ａの長手方向に間隔をあけてそれぞれ取り付けられたノズル１１ｂ〜１６ｂとで構成され、また、水噴射管１７は、洗車機本体１の上部を横方向に延びる噴射配管１７ａと、その噴射配管１７ａの長手方向に間隔をあけて取り付けられたノズル１７ｂで構成されている。
【００１８】
図４に示すように、液剤噴射装置１１〜１６の噴射配管１１ａ〜１６ａおよび水噴射管１７の噴射配管１7 ａには、枝配管１８〜２４がそれぞれ接続され、これらの枝配管１８〜２４には電磁弁２５〜３１がそれぞれ接続されている。電磁弁２５〜３１は、給水管路３２に並列に接続されており、この給水配管３２は、水槽３３内の給水ポンプ３４に接続されている。枝管路１８〜２３の途中には、混合器３５〜４０がそれぞれ接続されている。混合器３５〜４０の液剤口３５ａ〜４０ａには、液剤管路４１〜４６が接続されており、液剤管路４１〜４６は、液剤タンク４７〜５２に接続されている。
【００１９】
液剤タンク４７には第１洗剤が貯えられており、液剤タンク４８には光沢剤が貯えられており、液剤タン４９には撥水剤が貯えられており、液剤タンク５０にはワックスが貯えられており、液剤タンク５１には第２洗剤が貯えられており、液剤タンク５２には水垢除去剤が貯えられている。
【００２０】
図１，２に示すように、門型フレーム２の左側部フレーム２Ｌの前面下部には、棚５９，６０が２段に設けられており、下段の棚５９には液剤タンク４７と液剤タンク４９が置かれており、また上段の棚６０には液剤タンク４８と液剤タンク５２が置かれている。
【００２１】
図１，２に示すように、液剤タンク４７，４８，４９および５２の一側上部には、液剤の補給口４７ａ，４８ａ，４９ａおよび５２ａがそれぞれ開口されており、これらの補給口４７ａ，４８ａ，４９ａおよび５２ａは、キャップ４７ｂ，４８ｂ，４９ｂおよび５２ｂによってそれぞれ開閉される。
【００２２】
しかして、図１，２に示すように、前記補給口４７ａ，４８ａ，４９ａおよび５２ａは、洗車機本体１の前面に露出しており、それらのキャップ４７ｂ，４８ｂ，４９ｂおよび５２ｂによる補給口４７ａ，４８ａ，４９ａおよび５２ａの開閉操作は、作業者が洗車機本体１内に入らずに、洗車機本体１の前方から行うことができる。
【００２３】
洗車機本体１の骨格を構成するフレーム２の前面２Ａ、後面２Ｂ、右側面２Ｃ、左側面２Ｄおよび上面２Ｅには、それぞれ鋼板よりなる外板Ｐ２Ａ、Ｐ２Ｂ、Ｐ２Ｃ、Ｐ２ＤおよびＰ２Ｅがそれぞれ一体に張られている。
【００２４】
図１，３に示すように、左側部フレーム２Ｌの中央部下部には、棚６１が設けられており、この棚６１には液剤タンク５０と液剤タンク５１が置かれている。
【００２５】
液剤タンク５０，５１の一側上部には、液剤の補給口５０ａ，５１ａがそれぞれ開口されており、これらの補給口５０ａ，５１ａは、キャップ５０ｂ，５１ｂによってそれぞれ開閉される。
【００２６】
図１，３に示すように、左側面２Ｄの外板Ｐ２Ｄの中央下部には、前記棚６１の上方に対応して開口６２があけられており、この開口６２には、蓋６３が被せられている。蓋６３の裏側には開口６２の縁と係合得る係合部６３ａが設けられると共にその表側には係止片６４ａを有するハンドル６４が設けられており、蓋６３は、このハンドル６４を一方向に回すことにより、係止片６４ａを開口６２の縁に係止して外板Ｐ２Ｄに取り付けることができ、また、ハンドル６４を他方向に回すことにより、前記係止を解除して外板Ｐ２Ｄから取り外すことができる。
【００２７】
しかして、図３に示すように、液剤タンク５０，５１の補給口５０ａ，５１ａは、開口６２を通して洗車機本体１の側方に露出しており、それらのキャップ５０ｂ，５１ｂによる補給口５０ａ，５１ｂの開閉操作は、作業者が洗車機本体１内に入らずに、洗車機本体１の側方から行うことができる。
【００２８】
図４において、給水ポンプ３４を稼働させ、電磁弁２５を開弁し、液剤ポンプ５３を稼働させると、ノズル１１ｂから水と混合した第１洗剤を噴射できる。
【００２９】
また、給水ポンプ３４を稼働させ、電磁弁２６を開弁し、液剤ポンプ５４を稼働させると、ノズル１２ｂから水と混合した光沢剤を噴射できる。
【００３０】
また、給水ポンプ３４を稼働させ、電磁弁２７を開弁し、液剤ポンプ５５を稼働させると、ノズル１３ｂから水と混合した撥水剤を噴射できる。
【００３１】
また、給水ポンプ３４を稼働させ、電磁弁２８を開弁し、液剤ポンプ５６を稼働させると、ノズル１４ｂから水と混合したワックスを噴射できる。
【００３２】
また、給水ポンプ３４を稼働させ、電磁弁２９を開弁し、液剤ポンプ５７を稼働させると、ノズル１５ｂから水と混合した第２洗剤を噴射できる。
【００３３】
また、給水ポンプ３４を稼働させ、電磁弁３０を開弁し、液剤ポンプ５８を稼働させると、ノズル１６ｂから水と混合した水垢除去剤を噴射できる。
【００３４】
ところで、液剤タンク４７〜４９，５２に液剤を補給するとき、作業者は、洗車機本体１内に入ることなく、該洗車機本体１の外に位置して、液剤タンク４７〜４９，５２を棚５９，６０に置いたままでキャップ４７ｂ〜４９ｂ，５２ｂを外して液剤の補給作業を行うことができる。
【００３５】
また、液剤タンク５０，５１に液剤を補給するとき、作業者は、洗車機本体１内に入ることなく、該洗車機本体１の左側面の外に位置して、蓋６３を開いて液剤タンク５０，５１を棚６１に置いたままでキャップ５０，５１を外して液剤の補給作業を行うことができる。
【００３６】
液剤タンク４７〜４９，５２の内部や外部の洗浄などそれらのメンテナンスをするとき、作業者は洗車機本体１の前面の外に位置して、液剤タンク４７〜４９，５２を棚５９，６０から前方へ取り出して、液剤タンク４７〜４９，５２のメンテナンスをすることができる。そして、メンテナンス後の液剤タンク４７〜４９，５２を、作業者は洗車機本体１の前面の外に位置して、棚５９，６０に載せることができる。
【００３７】
また  液剤タンク５０，５１の内部や外部の洗浄など、それらのメンテナンスをするとき、作業者は洗車機本体１の左側面の外に位置して、蓋６３を開いて、液剤タンク５０〜５１を棚６１から開口６２を通して取り出して、液剤タンク５０，５１のメンテナンスをすることができる。そして、メンテナンス後の液剤タンク５０，５１を、作業者は洗車機本体１の左側面の外に位置して、開口６２を通して液剤タンク５０，５１を棚６１に載せることができる。
【００３８】
以上のように、液剤タンク４７〜５２の洗浄などのメンテナンスを、棚５９〜６１から取り外して洗車機本体１の外で行えるので、そのメンテナンスを容易に行うことができる。
【００３９】
前記実施例において、液剤タンク４７〜４９，５２を、その液剤タンク４７〜４９，５２内の液剤が透視できるほどの透明度にすれば、液剤の残量を、液剤タンク４７〜４９，５２の外部から容易に確認することができる。
【００４０】
つぎに、この実施例の作用について説明する。
【００４１】
適宜の液剤をノズル１１ｂ〜１６ｂから噴射して洗車機本体１を走行させれば、その液剤を被洗浄車両Ｖに掛けることができる。
【００４２】
また、水をノズル１７ｂから噴射して洗車機本体１を走行させれば、その水を被洗浄車両Ｖに掛けることができる。
【００４３】
そして、前記液剤または水を被洗浄車両Ｖに掛けると共に、適宜、トップブラシ７とサイドブラシ８，８を回転させて被洗浄車両Ｖをブラッシングする。
【００４４】
このように、液剤または水を被洗浄車両Ｖに掛けると、液剤または水が洗車機本体１の上部に付着し、やがてその付着した液剤または水は滴となって洗車機本体１内に落ちる。      
【００４５】
ここで、もし仮に従来の洗車機のように、洗車機本体内に液剤タンクが配置されていると、これらのタンクに液剤や水を補給すべく、作業者が洗車機本体内に入ると、落ちた滴が作業者に掛かってしまうという問題があるが、本実施例によれば、作業者は洗車機本体１内に入らずに、液剤の補給ができるので、洗車機本体１の上部から落ちる滴が液剤や水を補給する作業者に掛かることがない。また、作業者は狭隘な洗車機本体内で無理な姿勢で液剤の補給作業をしないで済むので、その作業が容易になる。
【００４６】
また、液剤タンク４７〜５２の洗浄などのメンテナンスをするときにも、従来の洗車機では、作業者が洗車機本体内に入ることになるので、この場合も落ちた滴が作業者に掛かってしまうという問題があるが、この実施例によれば、作業者は洗車機本体１内に入らずに液剤タンク４７〜５２を棚５９〜６１から取り出すことができ、また、液剤タンク４７〜５２を棚５９〜６１に載せることができるので、洗車機本体１内の上部から落ちる滴が、液剤タンク４７〜５２を棚５９〜６１から取り出したり、棚５９〜６１に載せたりする作業者に掛からない。また、作業者は狭隘な洗車機本体内で無理な姿勢でメンテナンス作業をしないで済むので、その作業が容易になる。
【００４７】
以上、本発明の実施例について説明したが、本発明はその実施例に限定されることなく、本発明の範囲内で種々の実施例が可能である。
【００４８】
たとえば、前記実施例では、洗車機本体は走行レール上を走行する場合について説明したが、洗車機本体はコンベアなどの移送手段により移動させるようにしてもよい。また前記実施例では、液剤タンク４７〜５２を棚５９〜６１に置いたまま液剤を補給しているが、液剤の残量が少なくなった液剤タンク４７〜５２を、液剤の量が多い液剤タンク４７〜５２に取り替えることにより、液剤を補給することもできる。また、液剤タンクに、塵埃などが掛かるのを防ぐために、液剤タンク４７〜４９，５２の前に扉またはキャップを設けてもよい。この場合、該扉またはキャップを、液剤タンク４７〜４９，５２内の液剤が透視できる透明度にすれば、液剤の残量を容易に確認できる。
【図面の簡単な説明】
【００４９】
【図１】液剤噴射装置を備えた洗車機の側面図
【図２】図１の２−２線に沿う洗車機の正面図
【図３】図１の３−３線に沿う洗車機の断面図
【図４】液剤噴射装置の配管系統図
【符号の説明】
【００５０】
１・・・・・・・洗車機本体
１１〜１６・・・・液剤噴射装置
４７〜５２・・・・液剤タンク
５９〜６１・・・・棚
６２・・・・・・・開口
Ｐ２Ｄ・・・・・・側面板（外板）
Ｖ・・・・・・・・被洗浄車両
【図１】
2006232041.tif 000003
【図２】
2006232041.tif 000004
【図３】
2006232041.tif 000005
【図４】
2006232041.tif 000006